(57)【要約】【課題】ケーブルをアンテナとして利用するイヤホンの受信感度を向上させることにある。【解決手段】ケーブルと、ケーブルに内設されたアンテナ線ＡＮＴと、アンテナ線ＡＮＴと共にケーブルに内設された信号線Ｒ，Ｌと、ケーブルに設けられ、アンテナ線ＡＮＴ及び信号線Ｒ，Ｌを電気的に携帯電話機１に接続させるためのプラグ３２と、ケーブルにプラグ３２と離間して設けられたリモコン３３と、リモコン３３に内蔵され、信号線Ｒ，Ｌに配設されている高周波減衰素子５Ｃと、リモコン３３に内蔵され、高周波減衰素子５Ｃに隣接してアンテナ線ＡＮＴに配設されている高周波減衰素子５Ｂと、を含む。高周波減衰素子５Ｂ，５Ｃは、リモコン３３のプラグ３２寄りに位置している。【選択図】図３
2007173980.tif 000002
【特許請求の範囲】
【請求項１】
アンテナ線を含む複数の信号伝達路を備えるケーブルと、
前記ケーブルが備える複数の信号伝達路の各々に対応する端子を有し、当該端子を通じて当該複数の信号伝達路の各々を外部装置に接続させるためのプラグと、
前記プラグに内蔵され、前記ケーブルが備える複数の信号伝達路のうちアンテナ線を除く信号伝達路に配置された高周波減衰素子と、
を含むイヤホン。
【請求項２】
前記プラグは基板を内蔵し、前記高周波減衰素子は、当該基板に取り付けられていることを特徴とする請求項１に記載のイヤホン。
【請求項３】
前記高周波減衰素子は、チップビーズであることを特徴とする請求項１に記載のイヤホン。
【請求項４】
前記高周波減衰素子は、インダクタであることを特徴とする請求項１に記載のイヤホン。
【請求項５】
ケーブルと、
前記ケーブルに内設されたアンテナ線と、
前記アンテナ線と共に前記ケーブルに内設された信号線と、
前記ケーブルに設けられ、前記アンテナ線及び前記信号線を電気的に外部装置に接続させるためのプラグと、
前記プラグに内蔵され、前記信号線に配設されている第１の高周波減衰素子と、
前記第１の高周波減衰素子と離間して前記信号線に配設されている第２の高周波減衰素子と、
前記第２の高周波減衰素子に隣接して前記アンテナ線に配設されている第３の高周波減衰素子と、
を含むイヤホン付きアンテナ。
【請求項６】
前記ケーブルに設けられ、前記第２の高周波減衰素子及び前記第３の高周波減衰素子が配設されている中間部を更に含むことを特徴とする請求項５に記載のイヤホン付きアンテナ。
【請求項７】
前記ケーブルは、接続部品を備える複数のケーブル部分から構成され、
前記ケーブル部品のうち前記プラグが設けられたケーブル部品に配設され、前記第２の高周波減衰素子及び前記第３の高周波減衰素子が配設されている中間部を更に含むことを特徴とする請求項５に記載のイヤホン付きアンテナ。
【請求項８】
前記ケーブルに設けられたリモコンを更に含み、前記第２の高周波減衰素子及び前記第３の高周波減衰素子が当該リモコンに配設されていることを特徴とする請求項５に記載のイヤホン付きアンテナ。
【請求項９】
前記ケーブルに設けられたリモコンと、当該リモコンに挿入されるジャックと、を更に含み、前記第２の高周波減衰素子及び前記第３の高周波減衰素子が当該リモコンに配設されていることを特徴とする請求項５に記載のイヤホン付きアンテナ。
【請求項１０】
チューナを有する携帯型電子機器に接続されるとモノポールアンテナとして又は半波長ダイポールアンテナの片側として作用し、受信した電波を当該チューナに入力するアンテナであって、
信号又は電気が通る導通路を備えるケーブルと、
前記ケーブルが備える導通路と共に当該ケーブルに内設されているアンテナ線と、
前記ケーブルに設けられ、前記携帯型電子機器に接続されるプラグと、
前記プラグに内蔵され、前記ケーブルが備える導通路に配置された高周波減衰素子と、
を含むアンテナ。
【請求項１１】
前記アンテナ線に設けられ、当該アンテナ線のアンテナ長を規定するための高周波吸収素子を更に含むことを特徴とする請求項１０に記載のアンテナ。
【請求項１２】
アンテナ長を規定するための高周波吸収素子の近傍に設けられ、前記ケーブルが備える導通路に配置された別の高周波吸収素子を更に含むことを特徴とする請求項１１に記載のアンテナ。
【請求項１３】
ユーザに音を出力するスピーカ部を更に含み、前記ケーブルが備える導通路は、当該スピーカ部に信号を送るためのものであることを特徴とする請求項１０に記載のアンテナ。
【請求項１４】
前記ケーブルが備える導通路は、前記携帯型電子機器に電気を供給する電気供給路であることを特徴とする請求項１０に記載のアンテナ。
【請求項１５】
チューナを有する携帯型電子機器に接続されるとモノポールアンテナとして又は半波長ダイポールアンテナの片側として作用し、受信した電波を当該チューナに入力するアンテナであって、
電気を供給するための電気供給路を備える電源ケーブルと、
前記電源ケーブルが備える電気供給路と共に当該電源ケーブルに内設されているアンテナ線と、
前記電源ケーブルに設けられ、前記携帯型電子機器に対して電気供給を行う際に当該携帯型電子機器に接続されるプラグと、
前記プラグに内蔵され、前記電源ケーブルが備える電気供給路に配置された高周波減衰素子と、
を含むアンテナ。
【請求項１６】
前記アンテナ線に設けられ、当該アンテナ線のアンテナ長を規定するための高周波吸収素子を更に含むことを特徴とする請求項１５に記載のアンテナ。
【請求項１７】
アンテナ長を規定するための高周波吸収素子の近傍に設けられ、前記電源ケーブルが備える電気供給路に配置された別の高周波吸収素子を更に含むことを特徴とする請求項１６に記載のアンテナ。
【発明の詳細な説明】
【技術分野】
【０００１】
本発明は、電気信号を音に変換する電気−音響変換器としてのイヤホン等に関するものである。
【背景技術】
【０００２】
携帯型の受信情報機器、例えば携帯電話機は、通話機能のみならず、技術の発達と共にメールやインターネット等の通信機能が付加されている。そして、その便利さや手軽さ等のため、携帯電話機は世界的に急速に普及している。
【０００３】
そのような携帯電話機の普及に伴い、通話機能や通信機能以外の様々な機能を有する携帯電話機が提案されている（例えば、特許文献１参照）。すなわち、特許文献１では、音楽再生機能を有する携帯電話機が開示されている。このため、携帯電話機及び携帯電話機に接続されるイヤホン（ヘッドホン）に対して高音質化という要求があり、各種の技術を用いてその要求に対応している。このように、携帯電話機に音楽再生機能をもたせることにより、専用の音楽再生機を用いて所望の音楽を聴いていた従来のスタイルから、携帯電話機だけを持ち歩いて携帯電話機で音楽再生するというスタイルに変わりつつある。
【０００４】
また、特許文献１では、ラジオやテレビ等の受信機能を有する携帯電話機も開示されている。ここで、携帯電話機に専用のアンテナを内蔵すると携帯電話機の小型化や軽量化の妨げになることから、チューナを携帯電話機に内蔵すると共に、携帯電話機に接続されるヘッドホンのケーブル（コード）にアンテナ機能をもたせた構成が開示されている（例えば、特許文献２参照）。すなわち、特許文献２には、ヘッドホンのケーブルをコネクタを介してチューナに接続し、これにより、ヘッドホンのケーブルを外部アンテナとして用いていると共に、ヘッドホンのコネクタが携帯電話機に接続されると、音声信号の出力先がスピーカからヘッドホンへと切り替わる構成が開示されている。
【０００５】
【特許文献１】特開２００２−１０１１６４号公報
【特許文献２】実開平３−２７０８号公報
【発明の開示】
【発明が解決しようとする課題】
【０００６】
しかしながら、ヘッドホンないしはイヤホンのケーブルを外部アンテナとする場合には、従来の構造では、受信感度の面で問題がある。すなわち、受信感度の向上を効果的に図ることが困難である。当然ながら、ヘッドホン等について種々の改良が行われているものの、性能的に十分ではなかったりコストが多くかかり過ぎてしまったりして、課題の解決には至っていない。また、ヘッドホン等が接続される携帯電話機についても、受信感度を向上させる改良が行われているが、高機能化等に伴い、受信感度を向上させる手段を携帯電話機側に内蔵するのは困難になりつつある。
【０００７】
ここで、携帯電話機のインターフェイスコネクタに接続され、そのインターフェイスコネクタのアンテナ端子に電気的に接続されるアンテナ接続端子を有するコネクタ部とアンテナ接続端子に電気的に接続されるアンテナエレメントを有する外部アンテナ部とを備えた携帯電話機用アンテナについての提案もある。この提案によると、アンテナエレメントが、導波素子、放射素子及び反射素子を有することにより、携帯電話機の送受信可能な距離を長くすることができる。ところが、このような構成をヘッドホンに適用するのは困難である。
【０００８】
本発明は、以上のような技術的課題を解決するためになされたものであり、その目的とするところは、ケーブルをアンテナとして利用するイヤホンの受信感度を向上させることにある。
また別の目的は、そのようなイヤホンが接続される装置本体のコンパクト化に寄与することにある。
【課題を解決するための手段】
【０００９】
かかる目的のもと、本発明が適用されるイヤホンは、アンテナ線を含む複数の信号伝達路を備えるケーブルと、ケーブルが備える複数の信号伝達路の各々に対応する端子を有し、端子を通じて複数の信号伝達路の各々を外部装置に接続させるためのプラグと、プラグに内蔵され、ケーブルが備える複数の信号伝達路のうちアンテナ線を除く信号伝達路に配置された高周波減衰素子と、を含むものである。
【００１０】
プラグは基板を内蔵し、高周波減衰素子は、この基板に取り付けられていることを特徴とすることができる。また、高周波減衰素子は、チップビーズまたはインダクタであることを特徴とすることができる。
【００１１】
他の観点から捉えると、本発明が適用されるイヤホン付きアンテナは、ケーブルと、ケーブルに内設されたアンテナ線と、アンテナ線と共にケーブルに内設された信号線と、ケーブルに設けられ、アンテナ線及び信号線を電気的に外部装置に接続させるためのプラグと、プラグに内蔵され、信号線に配設されている第１の高周波減衰素子と、第１の高周波減衰素子と離間して信号線に配設されている第２の高周波減衰素子と、第２の高周波減衰素子に隣接してアンテナ線に配設されている第３の高周波減衰素子と、を含むものである。
【００１２】
ケーブルに設けられ、第２の高周波減衰素子及び第３の高周波減衰素子が配設されている中間部を更に含むことを特徴とすることができる。また、ケーブルは、接続部品を備える複数のケーブル部分から構成され、ケーブル部品のうちプラグが設けられたケーブル部品に配設され、第２の高周波減衰素子及び第３の高周波減衰素子が配設されている中間部を更に含むことを特徴とすることができる。
【００１３】
ケーブルに設けられたリモコンを更に含み、第２の高周波減衰素子及び第３の高周波減衰素子がリモコンに配設されていることを特徴とすることができる。また、ケーブルに設けられたリモコンと、リモコンに挿入されるジャックと、を更に含み、第２の高周波減衰素子及び第３の高周波減衰素子がリモコンに配設されていることを特徴とすることができる。
【００１４】
更に本発明を別の観点から捉えると、本発明が適用されるアンテナは、チューナを有する携帯型電子機器に接続されるとモノポールアンテナとして又は半波長ダイポールアンテナの片側として作用し、受信した電波をチューナに入力するアンテナであって、信号又は電気が通る導通路を備えるケーブルと、ケーブルが備える導通路と共にケーブルに内設されているアンテナ線と、ケーブルに設けられ、携帯型電子機器に接続されるプラグと、プラグに内蔵され、ケーブルが備える導通路に配置された高周波減衰素子と、を含むものである。
【００１５】
アンテナ線に設けられ、このアンテナ線のアンテナ長を規定するための高周波吸収素子を更に含むことを特徴とすることができる。この場合には、アンテナ長を規定するための高周波吸収素子の近傍に設けられ、ケーブルが備える導通路に配置された別の高周波吸収素子を更に含むことを特徴とすることができる。
【００１６】
ユーザに音を出力するスピーカ部を更に含み、ケーブルが備える導通路は、スピーカ部に信号を送るためのものであることを特徴とすることができる。また、ケーブルが備える導通路は、携帯型電子機器に電気を供給する電気供給路であることを特徴とすることができる。
【００１７】
更に本発明をまた別の観点から捉えると、本発明が適用されるアンテナは、チューナを有する携帯型電子機器に接続されるとモノポールアンテナとして又は半波長ダイポールアンテナの片側として作用し、受信した電波をチューナに入力するアンテナであって、電気を供給するための電気供給路を備える電源ケーブルと、電源ケーブルが備える電気供給路と共に電源ケーブルに内設されているアンテナ線と、電源ケーブルに設けられ、携帯型電子機器に対して電気供給を行う際に携帯型電子機器に接続されるプラグと、プラグに内蔵され、電源ケーブルが備える電気供給路に配置された高周波減衰素子と、を含むものである。
【００１８】
アンテナ線に設けられ、アンテナ線のアンテナ長を規定するための高周波吸収素子を更に含むことを特徴とすることができる。この場合には、アンテナ長を規定するための高周波吸収素子の近傍に設けられ、電源ケーブルが備える電気供給路に配置された別の高周波吸収素子を更に含むことを特徴とすることができる。
【発明の効果】
【００１９】
本発明によれば、ケーブルをアンテナとして利用するイヤホンの受信感度を向上させることが可能になる。
【発明を実施するための最良の形態】
【００２０】
以下、添付図面を参照して、本発明の実施の形態について詳細に説明する。
図１は、本実施の形態に係るイヤホン２と当該イヤホン２が用いられる携帯電話機１とを示す概略構成図である。
図１に示す携帯電話機（受信機、外部装置、携帯型電子機器）１は、イヤホン（ヘッドホン）２が接続されるジャック１１を有する。また、携帯電話機１は、ＦＭラジオ放送、ＶＨＦテレビ放送及びＵＨＦテレビ放送等を受信する受信機能としてのチューナ１２（図２参照）を有する。そして、ユーザが所望の放送を受信するときには、アンテナとして機能するイヤホン２を携帯電話機１のジャック１１に接続する。
【００２１】
イヤホン２がジャック１１に接続されると、イヤホン２は携帯電話機１の放送受信用外部アンテナとして機能する。また、イヤホン２がジャック１１に接続されると、携帯電話機１の図示しない内蔵スピーカからの音出力が遮断され、ユーザは、イヤホン２を通じて放送の内容を聴くことができる。
なお、本実施の形態では、受信した放送は、音声出力のみとしているが、音声出力のみならず映像出力も可能に構成されている携帯電話にも同様に適用することができる。また、ＦＭラジオ放送のみならず、ＡＭラジオ放送も受信可能に携帯電話機１を構成することも可能である。
【００２２】
また、携帯電話機１は、図示しない内部メモリ又は外部メモリに、例えばＭＰ３形式の所定のデータ形式で予め記録された音楽を再生する音楽再生機能を有する。なお、ここにいう外部メモリとは、携帯電話機１に脱着可能に装着できる記憶媒体をいい、例えばＳＤメモリカード等をいう。
【００２３】
イヤホン２は、携帯電話機１に接続される操作部３と、操作部３に接続される音出力部４と、を備える。操作部３は、携帯電話機１に対するユーザからの指示内容を電気信号で携帯電話機１に出力する。また、音出力部４は、操作部３を介して携帯電話機１からの電気信号に対応する音を出力する。
【００２４】
なお、本実施の形態では、イヤホン２として、操作部３と音出力部４とがコネクタ類によって分離可能に構成されているものを用いているが、そのような分離不可能に構成されているものを用いることもできる。また、ここにいうイヤホン２は、操作部３と音出力部４とを含んで構成されているが、例えば操作部３のみをイヤホン２と考えることもできる。また、携帯電話機１に接続される操作部３をラジオ放送やテレビ放送を受信するためのアンテナと考えることもできる。
【００２５】
操作部３は、複数の信号線（芯線）を内蔵するケーブル（ケーブル部分）３１と、ケーブル３１の一端に設けられ、携帯電話機１のジャック１１に接続されるプラグ３２と、ケーブル３１の他端に設けられ、ユーザが携帯電話機１に対して指示を行う際に操作するリモコン（中間部）３３と、を有する。ケーブル３１に内蔵されている複数の信号線は、電気信号を伝達するためのものであるが、光信号等の他の信号を伝達するように構成している場合にも本実施の形態を適用することができる。
【００２６】
ここで、リモコン３３は、ユーザの声が入力されるマイクロホン（音入力部）３３１と、音量の調整や受信周波数の調整を行ったり、音楽再生の際にユーザが操作したりするための各種のボタン３３２と、が配設されている。また、リモコン３３には、音出力部４を接続するための出力端子３３３がケーブル３１とは逆側に設けられている。なお、リモコン３３における出力端子３３３の位置は、本実施の形態の場合に限られず、ケーブル３１とは逆側以外であってもよい。
【００２７】
音出力部４は、複数の信号線を内蔵し、一端から他端に向かう途中で二股に分かれるケーブル（ケーブル部分）４１と、ケーブル４１の一端に設けられ、操作部３の出力端子３３３に挿入されるプラグ（接続部品）４２と、ケーブル４１の他端に設けられ、ユーザの片耳ずつにセットされる右スピーカ（スピーカ部）４３ａ及び左スピーカ（スピーカ部）４３ｂと、を有する。右スピーカ４３ａ及び左スピーカ４３ｂは、プラグ４２及びケーブル４１を介して送られてきた電気信号を音に変換して出力する。
【００２８】
なお、本実施の形態では、携帯電話機１にイヤホン２を接続する場合を説明したが、イヤホン２の代わりに、図示しない電源コードを接続する場合にも同様に適用することができる。この電源コードは、電気配線されているコンセントから携帯電話機１に電気を供給するためのものであり、そのために、電力線、電源線、導線等の電気供給路を内蔵している。
また、携帯電話機１のほかに、図示しない携帯用ラジオ受信機にイヤホン２や図示しない電源コードを接続する場合にも適用することができる。
【００２９】
〔第１の実施の形態〕
図２は、第１の実施の形態に係るイヤホン２１の操作部３が携帯電話機１に接続されている状態を説明するための概略構成図である。図３は、操作部３のプラグ３２の内部の構造を説明するための概略構成図であり、同図の（ａ）は、プラグ３２の正面図であり、（ｂ）はプラグ３２の右側面図である。
図２に示すように、操作部３のケーブル３１は、アンテナとして機能する信号線（アンテナ線）ＡＮＴと、音出力部４（図１参照）の右スピーカ４３ａに信号を伝えるための信号線Ｒと、音出力部４の右スピーカ４３ａに信号を伝えるための信号線Ｌと、を備えている。その他に、操作部３のリモコン３３に配設されたマイクロホン３３１のための信号線及びリモコン３３に配設されたボタン３３２のための信号線もケーブル３１は備えている。なお、本実施の形態では、ケーブル３１が５本の信号線（信号伝達路、導通路、電気供給路）を備えているが、更に他の信号線を備えるように構成することも可能である。例えば、ステレオ検出のための信号線やグランドのための信号線等である。また、マイクロホン３３１のための信号線をシールド線にて被覆してノイズ対策を施すことも考えられる。
【００３０】
操作部３のプラグ３２は、チップビーズ５Ａを内蔵している。すなわち、プラグ３２において、信号線ＡＮＴ以外の信号線にチップビーズ５Ａが配設されている。言い換えると、プラグ３２において、信号線Ｒ、信号線Ｌ、マイクロホン３３１のための信号線及びボタン３３２のための信号線にチップビーズ５Ａが配設されている。
【００３１】
チップビーズ５Ａは、必要な信号を通過させる一方で、それ以上の所望する高周波数帯域にある不必要な信号（ノイズ）を全て通過させないように作用する電子部品である。そして、チップビーズ５Ａは、広い周波数帯域にわたって信号の吸収特性を有するものである。チップビーズ５Ａは、高周波を減衰させるための素子であり、高周波減衰素子や高周波吸収素子と呼ばれる。また、高周波減衰素子としては、インダクタないしはチョークコイルがあり、これらを代用することも可能である。なお、チップビーズ５Ａとしては、使用される条件に応じて決定された所定のインピーダンスを有するものが用いられる。
【００３２】
ここで、図３に示すように、プラグ３２には、所定のパターンが形成されている基板３２１が内蔵されている。そして、そのような基板３２１に４個のチップビーズ５Ａが実装されている。すなわち、図２では、すべての信号線を直線で図示しているが、実際には、信号線の各々は、基板３２１を介して電気的に接続されている。なお、このプラグ３２は、携帯電話用接続コードの平型プラグであり、１０ピンのステレオ音声対応タイプである。
【００３３】
図２に戻って説明を続ける。操作部３のプラグ３２が携帯電話機１のジャック１１に挿入されると、操作部３と携帯電話機１とが電気的に接続され、これにより、信号線ＡＮＴは、携帯電話機１に内蔵されているチューナ１２に接続される。他の信号線は、携帯電話機１内の図示しない回路に接続される。そして、信号線ＡＮＴ以外の信号線には、チップビーズ５Ａが配設されているので、外部からの高周波（受信した放送電波）は、チップビーズ５Ａにより減衰される。
【００３４】
このようにして、外部からの高周波は、信号線ＡＮＴのみから携帯電話機１の内部に入力され、携帯電話機１のチューナ１２へ損失が少なく高周波成分を取り込むことができる。言い換えると、信号線ＡＮＴが受信した放送電波は、信号線ＡＮＴ以外の信号線を介して携帯電話機１の内部に入力されず、そのほとんどは、信号線ＡＮＴを介して携帯電話機１のチューナ１２に入力される。したがって、イヤホン２１により放送電波が受信されるときの受信感度が低下することを防止できる。
【００３５】
ここで、携帯電話機１の内部にチップビーズ５Ａを配設して、信号線ＡＮＴ以外の信号線による高周波を減衰させるようにした携帯電話機１についても、本実施の形態のイヤホン２１を用いることができる。更に説明すると、近年の高機能化多機能化の要求に対応するために、携帯電話機１の内部に配置されている図示しない基板は、例えば６層や８層等の多層基板であり、しかも、各種の電子部品が高密度実装されている。そして、信号線ＡＮＴ等の信号線は、チップビーズ５Ａが配設されている多層基板に接続されている。このように構成された多層基板において、信号線ＡＮＴ以外の信号線からの高周波はチップビーズ５Ａによって減衰される。しかしながら、多層基板において高周波を減衰するので、チップビーズ５Ａに減衰される前に、高周波が多層基板の他の層のパターンに入力されてしまうことがあり得る。このため、チップビーズ５Ａが内蔵されている携帯電話機１の場合には、信号線ＡＮＴ以外の信号線からの高周波が完全には減衰されずに多層基板に入力されてしまい、受信感度の低下や多層基板への悪影響等の懸念がある。
【００３６】
ところが、チップビーズ５Ａが内蔵されている携帯電話機１に、本実施の形態のイヤホン２１を用いると、操作部３のプラグ３２に配設されたチップビーズ５Ａによって、信号線ＡＮＴ以外の信号線からの高周波を減衰することができる。すなわち、信号線ＡＮＴ以外の信号線の高周波を携帯電話機１の外部で減衰するので、信号線ＡＮＴの高周波のみを携帯電話機１の内部に入力させることができる。このため、チップビーズ５Ａが内蔵されている携帯電話機１について本実施の形態のイヤホン２１を用いると、イヤホン２１のチップビーズ５Ａにて高周波を減衰することができるので、受信感度の向上を期待することができる。
【００３７】
また、本実施の形態のイヤホン２１を用いると、携帯電話機１はチップビーズ５Ａを内蔵する必要が無くなる。すなわち、携帯電話機１に内蔵されている図示しない基板に実装する部品を減らすことができる。このため、携帯電話機１の基板設計における条件が緩和され、基板設計を容易化することに寄与すると共に、携帯電話機１の製造コストを下げることができる。また、携帯電話機１の軽量化や薄形化にも寄与することができる。また、更なる高機能化を実現することが可能になる。
【００３８】
このように、本実施の形態のイヤホン２１は、携帯電話機１にチップビーズ５Ａが内蔵されているか否かを問わず、用いることができる。この意味において、本実施の形態のイヤホン２１は、汎用性に富むものである。そして、チップビーズ５Ａが内蔵されている携帯電話機１に本実施の形態のイヤホン２１を用いると、受信感度が向上する。
また、携帯電話機１にチップビーズ５Ａを内蔵する必要が無くなるので、携帯電話機１の基板の設計条件の緩和やコストダウンを実現することができる。また、携帯電話機１の軽量化や薄形化、高機能化を実現することが容易になる。
【００３９】
〔第２の実施の形態〕
図４は、第２の実施の形態に係るイヤホン２２が携帯電話機１に接続されている状態を説明するための概略構成図である。なお、第２の実施の形態に係るイヤホン２２は、第１の実施の形態に係るイヤホン２１と同一の構成についてはその説明を省略する。
図４に示すイヤホン２２では、操作部３のプラグ３２にチップビーズ（第１の高周波減衰素子）５Ａが内蔵されていると共に、操作部３のリモコン３３にチップビーズ（第３の高周波減衰素子）５Ｂ及びチップビーズ（第２の高周波減衰素子）５Ｃが内蔵されている。すなわち、リモコン３３において、信号線ＡＮＴにチップビーズ５Ｂが配設されている。また、リモコン３３において、信号線Ｒ，Ｌ、マイクロホン３３１のための信号線及びボタン３３２のための信号線にチップビーズ５Ｃが配設されている。
このように、リモコン３３において、信号線ＡＮＴを含めた信号線のすべてについて高周波が減衰するように構成されている。
【００４０】
更に説明すると、信号線ＡＮＴは、リモコン３３に内蔵されたチップビーズ５Ｂにより、チップビーズ５Ｂと携帯電話機１のチューナ１２との間の距離がアンテナ長となる。すなわち、信号線ＡＮＴのアンテナ長に相当する部分で、放送電波を受信する。このように、リモコン３３から延びるケーブル４１（図１参照）をアンテナとして用いていない。したがって、所定の放送電波を受信するのに最適なアンテナ長となるようにチップビーズ５Ｂを配置することで、最適なアンテナ効果を得ることができる。
【００４１】
また、信号線ＡＮＴと共にケーブル３１に内設されている信号線Ｒ，Ｌ等の他の信号線は、操作部３のプラグ３２のチップビーズ５Ａとリモコン３３のチップビーズ５Ｃとが配設されている。このため、信号線ＡＮＴ以外の他の信号線は、両端で高周波の減衰が行われる。そして、リモコン３３において、チップビーズ５Ｂとチップビーズ５Ｃは隣接して配設されている。したがって、信号線ＡＮＴのアンテナ長に相当する部分へ高周波が入力されることを回避でき、設計どおりの受信感度とすることが可能になる。
【００４２】
ここで、アンテナ長の設定について説明する。アンテナ長は、波長をλとすると、基本的にはλ／４にする。そして、扱う周波数が多数の場合には、各帯域のセンタがｎλ／４（ｎは奇数）になるようにアンテナ長を設定する。ただし、すべての帯域を満足しないときには、感度の低い帯域を感度の高い帯域よりも優先する必要がある。
【００４３】
本実施の形態では、周波数が７６〜９０ＭＨｚのＦＭ放送と、９０〜１０８ＭＨｚ（１ＣＨ〜３ＣＨ）及び１７０〜２２２ＭＨｚ（４ＣＨ〜１２ＣＨ）のＶＨＦのテレビ放送と、４７０〜７７０ＭＨｚ（１３ＣＨ〜６２ＣＨ）のＵＨＦのテレビ放送と、が受信帯域としている。ＦＭ放送の場合には、λ＝３．９５〜３．３３ｍであり、ＶＨＦの場合には、λ＝３．３３〜２．７８ｍ及び、λ＝１．７６〜１．３５ｍである。ＵＨＦの場合には、λ＝６４〜３９ｃｍである。
【００４４】
そして、各帯域のセンタがｎλ／４となるようなアンテナ長を設定する。その設定されたアンテナ長で受信状態を測定する実験を行い、各帯域の周波数の受信レベルを得る。その感度の程度を調べてアンテナ長を合わせ込んでいく。
【００４５】
〔第３の実施の形態〕
図５は、第３の実施の形態に係るイヤホン２３が携帯電話機１に接続されている状態を説明するための概略構成図である。なお、第３の実施の形態に係るイヤホン２３は、第１の実施の形態に係るイヤホン２１と同一の構成についてはその説明を省略する。
図５に示すイヤホン２３では、図４に示すイヤホン２２とは異なり、音出力部４のプラグ４２にチップビーズ５Ｂ，５Ｃが内蔵されている。すなわち、プラグ４２において、信号線ＡＮＴにチップビーズ５Ｂが配設され、また、信号線Ｒ，Ｌにチップビーズ５Ｃが配設されている。
【００４６】
更に説明すると、プラグ４２からケーブル４１（図１参照）へと延びる信号線は、５本の信号線のうち信号線ＡＮＴ，Ｒ，Ｌのみである。このため、操作部３のリモコン３３にチップビーズ５Ｃを内蔵する場合よりも、音出力部４のプラグ４２にチップビーズ５Ｃを内蔵する場合の方がチップビーズ５Ｃの数を減らすことができる。したがって、イヤホン２３の製造コストを低減することができる。
【００４７】
なお、本実施の形態では、音出力部４のプラグ４２にチップビーズ５Ｂ，５Ｃを内蔵しているが、イヤホン２３のリモコン３３における出力端子３３３の近傍に設けることも考えられる。すなわち、出力端子３３３の近傍であれば、信号線ＡＮＴ，Ｒ，Ｌは、マイクロホン３３１のための信号線及びボタン３３２のための信号線からの影響を受け難い。このため、出力端子３３３の近傍にチップビーズ５Ｂ，５Ｃを設けることができる。
【００４８】
次に、イヤホン２の受信感度の評価について説明する。
図６は、測定条件を説明するための概略構成図である。
図６に示すように、テストアンテナ６０を吊るした状態で設置すると共に、テストアンテナ６０から所定距離Ｌ１（例えば５０ｃｍ）離間した位置にリード線７０を吊るした状態で設置している。そして、テストアンテナ６０には、測定器としてのスペクトラムアナライザ（以下、スペアナともいう）６１を接続し、リード線７０にはＳＳＧ(Standard Signal Generator、標準信号発生器)７１を接続している。すなわち、リード線７０から電波を出力し、その電波をテストアンテナ６０で受信し、その受信状態をスペクトラムアナライザ６１で測定するように構成されている。なお、ネットワークアナライザを使用する測定方法もある。
【００４９】
具体的に説明すると、テストアンテナ６０のスピーカ６０ａが上側になるように図示しない保持具を用いてテストアンテナ６０を吊るしている。そして、下側に位置するテストアンテナ６０のプラグ６０ｂに、同軸ケーブル６２の一端に設けられたコネクタ６２ａを接続している。また、同軸ケーブル６２の他端をスペクトラムアナライザ６１に接続している。このようにして、テストアンテナ６０をスペクトラムアナライザ６１に電気的に接続している。
【００５０】
リード線７０は、所定の長さＬ２（例えば５０ｃｍ）に設定されている。図示しない保持具を用いてリード線７０がテストアンテナ６０と平行になるように吊るされている。そして、リード線７０の下端に同軸ケーブル７２の一端を接続している。そして、同軸ケーブル７２の他端をＳＳＧ７１に接続している。このようにして、リード線７０をＳＳＧ７１に電気的に接続している。
【００５１】
図７は、評価に用いたテストアンテナ６０を説明するための説明図である。このテストアンテナ６０は、プラグ６０ｂ側の操作部Ｐとスピーカ６０ａ側の音出力部Ｓとからなる２分割タイプである。そして、同図の（ａ）は、操作部Ｐの外観図であり、（ｂ）は、操作部Ｐと音出力部Ｓとをつなげた状態の外観図である。
【００５２】
すなわち、図７の（ａ）及び（ｂ）に示す操作部Ｐは、プラグ６０ｂとリモコン６０ｄとをケーブルで互いに電気的に接続して構成されている。また、図７の（ｂ）に示す音出力部Ｓは、スピーカ６０ａとプラグ６０ｃとをケーブルで互いに電気的に接続して構成されている。そして、図７の（ｂ）に示すように、音出力部Ｓのプラグ６０ｃは操作部Ｐのリモコン６０ｄに挿入されて音出力部Ｓと操作部Ｐとが互いに電気的に接続される。プラグ６０ｃはリモコン６０ｄに対して挿脱可能である。
【００５３】
ここで、本実施の形態についてのテストアンテナ６０としては、上述したイヤホン２，２１，２２，２３と同様の構成のものを用いている。すなわち、操作部Ｐのプラグ６０ｂは、チップビーズ５Ａが内設されたプラグ３２（図２、図４又は図５参照）に相当するものである。操作部Ｐのリモコン６０ｄ及び音出力部Ｓのプラグ６０ｃは、チップビーズ５Ｂ，５Ｃが内設されたリモコン３３又はプラグ４２に相当するものである。
なお、本実施の形態に対する比較例として、これらチップビーズ５Ａ，５Ｂ，５Ｃが内設されていないプラグ６０ｂ、リモコン６０ｄ及びプラグ６０ｃを用いて実験を行っている。また、比較例として、操作部Ｐのリード線長及び音出力部Ｓのリード線長が異なる寸法のものを用いて実験を行っている。
【００５４】
図８及び図９は、図６に示す測定条件で測定した結果を示すグラフであり、いずれも、横軸はリード線７０（図６参照）から発した周波数（ＭＨｚ）であり、縦軸は、テストアンテナ６０が受信した電波をスペクトラムアナライザで測定したレベル（ｄＢμ）である。なお、リード線７０に接続されたＳＳＧ７１（図６参照）の出力レベルは、１００ｄＢμである。
【００５５】
図８では、実施形態品Ａ，Ｂの測定結果を示すと共に、比較例としての市販品Ｃ，Ｄの測定結果を示している。ここにいう実施形態品Ａ，Ｂは、テストアンテナ６０（図６参照）として本実施の形態に係るイヤホンを指すものである。更に説明すると、実施形態品Ａでは、１６０８タイプのチップビーズを用いている。実施形態品Ｂは、１００５タイプのチップビーズを用いている。なお、１００５、１６０８という数字は、外形寸法を示している。
【００５６】
また、ここにいう市販品Ｃ，Ｄには、図７の（ｂ）に示すような操作部Ｐと音出力部Ｓとが電気的に一体となるように互いに接続された状態のものを用いているが、チップビーズがまったく内設されていない。また、市販品Ｃは、全長が１４４ｍｍであり、市販品Ｄは、全長が１０７ｍｍである。このため、市販品Ｃのアンテナ長は１４４ｍｍであり、市販品Ｄのアンテナ長は１０７ｍｍである。
【００５７】
図９では、実施形態品Ａ，Ｂの測定結果を示すと共に、チップビーズがまったく内設されていない比較例としての従来品Ｅ，Ｆの測定結果を示している。ここにいう従来品Ｅは、図７の（ａ）に示すような操作部Ｐからなるものである。また、従来品Ｆは、図７の（ｂ）に示すような操作部Ｐと音出力部Ｓとが電気的に一体となるように互いに接続された状態のものである。このため、従来品Ｆの方が、音出力部Ｓの長さだけ従来品Ｅよりも長い。すなわち、従来品Ｅと従来品Ｆとは、アンテナ長の長さが互いに異なっている。なお、従来品Ｅ，Ｆの各々の全長は、実施形態品Ａ，Ｂの全長に合わせている。
【００５８】
そして、図８及び図９に示すように、リード線７０（図６参照）から発せられる電波の周波数を変えて測定している。具体的には、７６ＭＨｚ、９２ＭＨｚ、１０８ＭＨｚ、１７０ＭＨｚ、１９６ＭＨｚ、２２２ＭＨｚ、４７０ＭＨｚ、６２０ＭＨｚ及び７７０ＭＨｚの周波数で測定した。
【００５９】
測定結果について具体的に説明すると、図８に示すように、実施形態品Ａ，Ｂは、市販品Ｃ，Ｄよりも受信レベルが全般的に高い。すなわち、実施形態品Ａ，Ｂは、市販品Ｃ，Ｄよりも受信感度がよい。
【００６０】
図１０は、図８に示す実施形態品Ａ，Ｂによる測定結果の市販品Ｃの測定結果に対する比較を示すグラフであり、横軸は周波数（ＭＨｚ）であり、縦軸は改善度（ｄＢ）である。
図１０に示すように、実施形態品Ａの受信状態については、６２０ＭＨｚを除いて市販品Ｃの受信状態に対して改善されている。また、実施形態品Ｂの受信状態については、１０８ＭＨｚを除いて市販品Ｃの受信状態に対して改善されている。このような改善効果は、受信した電波が確実にチューナ１２（図２参照）に入力されていることに起因すると考えられる。すなわち、実施形態品Ａ，Ｂでは、プラグ６０ｂにチップビーズ５Ａ（図２参照）が内設されているため、受信した電波のすべてがチューナ１２（図２参照）に送られる。このため、受信電波の損失を抑制することができ、市販品Ｃ，Ｄに比べて受信状態が向上しているものである。
【００６１】
図９に戻って説明を続ける。同図に示すように、実施形態品Ａ，Ｂは、従来品Ｅ，Ｆよりも受信レベルが全般的に高い。すなわち、実施形態品Ａ，Ｂは、従来品Ｅ，Ｆよりも受信感度がよい。また、従来品Ｅと従来品Ｆとの測定結果を比較すると、受信レベルが変わっている。すなわち、音出力部Ｓを接続する場合と接続しない場合とでアンテナ長が変わってしまい、受信感度が変化してしまう。言い換えると、操作部Ｐに接続される音出力部Ｓのケーブルの長さによって受信感度が変化してしまう。アンテナ設計の際には、広帯域の受信感度が良好になるように調整して最終的な仕様を決定する。したがって、受信感度が容易に変化してしまうのは、好ましくない。
【００６２】
この点で、実施形態品Ａ，Ｂには、チップビーズ５Ａ，５Ｂ，５Ｃが内設され、これにより、アンテナ長が決定されている。このため、操作部Ｐに接続される音出力部Ｓのケーブル長がどのような寸法であっても、アンテナ長が変わることはない。したがって、アンテナ設計により合わせ込まれた性能が維持され、ユーザは、広帯域に良好な受信感度を有する設計どおりの性能で使用することができる。
【００６３】
以上、説明したように、本実施の形態によれば、携帯電話機１のチューナ１２に受信電波が入力される際の損失を抑制することができ、これにより、受信感度を向上させることができる。また、予め定められたアンテナ長で受信することができ、受信感度が変化することを回避することができる。
【図面の簡単な説明】
【００６４】
【図１】本実施の形態に係るイヤホンと当該イヤホンが用いられる携帯電話機とを示す概略構成図である。
【図２】第１の実施の形態に係るイヤホンの操作部が携帯電話機に接続されている状態を説明するための概略構成図である。
【図３】操作部のプラグの内部の構造を説明するための概略構成図である。
【図４】第２の実施の形態に係るイヤホンが携帯電話機に接続されている状態を説明するための概略構成図である。
【図５】第３の実施の形態に係るイヤホンが携帯電話機に接続されている状態を説明するための概略構成図である。
【図６】測定条件を説明するための概略構成図である。
【図７】評価に用いたテストアンテナを説明するための説明図である。
【図８】図６に示す測定条件で測定した結果を示すグラフである。
【図９】図６に示す測定条件で測定した結果を示すグラフである。
【図１０】図８に示す実施形態品による測定結果の市販品の測定結果に対する比較を示すグラフである。
【符号の説明】
【００６５】
１…携帯電話機、１１…ジャック、１２…チューナ、２，２１，２２，２３…イヤホン、３…操作部、３１，４１…ケーブル、３２，４２…プラグ、３２１…基板、３３…リモコン、３３１…マイクロホン、３３２…ボタン、３３３…出力端子、４…音出力部、４３ａ…右スピーカ、４３ｂ…左スピーカ、５Ａ，５Ｂ，５Ｃ…チップビーズ
【図１】
2007173980.tif 000003
【図２】
2007173980.tif 000004
【図３】
2007173980.tif 000005
【図４】
2007173980.tif 000006
【図５】
2007173980.tif 000007
【図６】
2007173980.tif 000008
【図７】
2007173980.tif 000009
【図８】
2007173980.tif 000010
【図９】
2007173980.tif 000011
【図１０】
2007173980.tif 000012
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
ケーブルと、
前記ケーブルに内設されたアンテナ線と、
前記アンテナ線と共に前記ケーブルに内設された信号線と、
前記ケーブルに設けられ、前記アンテナ線及び前記信号線を電気的に外部装置に接続させるためのプラグと、
前記ケーブルに前記プラグと離間して設けられたリモコンと、
前記プラグに内蔵され、前記信号線に配設されている第１の高周波減衰素子と、
前記リモコンに内蔵され、前記信号線に配設されている第２の高周波減衰素子と、
前記リモコンに内蔵され、前記第２の高周波減衰素子に隣接して前記アンテナ線に配設されている第３の高周波減衰素子と、
を含み、
前記第２の高周波減衰素子及び前記第３の高周波減衰素子は、前記リモコンの前記プラグ寄りに位置することを特徴とするイヤホン付きアンテナ。
【請求項２】
前記ケーブルは、接続部品を備える複数のケーブル部分から構成され、
前記リモコンは、前記ケーブル部品のうち前記プラグが設けられたケーブル部品に配設されていることを特徴とする請求項１に記載のイヤホン付きアンテナ。
【請求項３】
前記リモコンに挿入されるジャックを更に含むことを特徴とする請求項１に記載のイヤホン付きアンテナ。
【請求項４】
前記プラグは基板を内蔵し、前記第１の高周波減衰素子は、当該基板に取り付けられていることを特徴とする請求項１に記載のイヤホン付きアンテナ。
【請求項５】
前記第１ないし第３の高周波減衰素子は、チップビーズであることを特徴とする請求項１に記載のイヤホン付きアンテナ。
【請求項６】
前記第１ないし第３の高周波減衰素子は、インダクタであることを特徴とする請求項１に記載のイヤホン付きアンテナ。
【請求項７】
前記第２の高周波減衰素子は、前記アンテナ線のアンテナ長を規定することを特徴とする請求項１に記載のイヤホン付きアンテナ。
【請求項８】
アンテナ線を含む複数の信号伝達路を備えるケーブルと、
前記ケーブルが備える複数の信号伝達路の各々に対応する端子を有し、当該端子を通じて当該複数の信号伝達路の各々を外部装置に接続させるためのプラグと、
前記ケーブルに前記プラグと離間して設けられたリモコンと、
前記リモコンに内蔵され、当該リモコンのプラグ寄りに位置し、前記ケーブルが備えるアンテナ線を含む複数の信号伝達路に配置された高周波減衰素子と、
を含むイヤホン。
【手続補正３】
【補正対象書類名】明細書
【補正対象項目名】０００９
【補正方法】変更
【補正の内容】
【０００９】
かかる目的のもと、本発明が適用されるイヤホン付きアンテナは、ケーブルと、ケーブルに内設されたアンテナ線と、アンテナ線と共にケーブルに内設された信号線と、ケーブルに設けられ、アンテナ線及び信号線を電気的に外部装置に接続させるためのプラグと、ケーブルにプラグと離間して設けられたリモコンと、プラグに内蔵され、信号線に配設されている第１の高周波減衰素子と、リモコンに内蔵され、信号線に配設されている第２の高周波減衰素子と、リモコンに内蔵され、第２の高周波減衰素子に隣接してアンテナ線に配設されている第３の高周波減衰素子と、を含み、第２の高周波減衰素子及び第３の高周波減衰素子は、リモコンのプラグ寄りに位置することを特徴とするものである。
【手続補正４】
【補正対象書類名】明細書
【補正対象項目名】００１１
【補正方法】変更
【補正の内容】
【００１１】
ケーブルは、接続部品を備える複数のケーブル部分から構成され、リモコンは、ケーブル部品のうちプラグが設けられたケーブル部品に配設されていることを特徴とすることができる。また、リモコンに挿入されるジャックを更に含むことを特徴とすることができる。
また、第２の高周波減衰素子は、アンテナ線のアンテナ長を規定することを特徴とすることができる。
【手続補正５】
【補正対象書類名】明細書
【補正対象項目名】００１２
【補正方法】変更
【補正の内容】
【００１２】
他の観点から捉えると、本発明が適用されるイヤホンは、アンテナ線を含む複数の信号伝達路を備えるケーブルと、ケーブルが備える複数の信号伝達路の各々に対応する端子を有し、端子を通じて複数の信号伝達路の各々を外部装置に接続させるためのプラグと、ケーブルにプラグと離間して設けられたリモコンと、リモコンに内蔵され、リモコンのプラグ寄りに位置し、ケーブルが備えるアンテナ線を含む複数の信号伝達路に配置された高周波減衰素子と、を含むものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
ケーブルと、
前記ケーブルに内設されたアンテナ線と、
前記アンテナ線と共に前記ケーブルに内設された信号線と、
前記ケーブルに設けられ、前記アンテナ線及び前記信号線を電気的に外部装置に接続させるためのプラグと、
前記ケーブルに前記プラグと離間して設けられたリモコンと、
前記リモコンに内蔵され、前記信号線に配設されている第１の高周波減衰素子と、
前記リモコンに内蔵され、前記第１の高周波減衰素子に隣接して前記アンテナ線に配設されている第２の高周波減衰素子と、
を含み、
前記第１の高周波減衰素子及び前記第２の高周波減衰素子は、前記リモコンの前記プラグ寄りに位置することを特徴とするイヤホン付きアンテナ。
【請求項２】
前記ケーブルは、接続部品を備える複数のケーブル部分から構成され、
前記リモコンは、前記ケーブル部分のうち前記プラグが設けられたケーブル部分に配設されていることを特徴とする請求項１に記載のイヤホン付きアンテナ。
【請求項３】
前記リモコンに挿入されるジャックを更に含むことを特徴とする請求項１に記載のイヤホン付きアンテナ。
【請求項４】
前記第１の高周波減衰素子及び前記第２の高周波減衰素子は、チップビーズであることを特徴とする請求項１に記載のイヤホン付きアンテナ。
【請求項５】
前記第１の高周波減衰素子及び前記第２の高周波減衰素子は、インダクタであることを特徴とする請求項１に記載のイヤホン付きアンテナ。
【請求項６】
前記第２の高周波減衰素子は、前記アンテナ線のアンテナ長を規定することを特徴とする請求項１に記載のイヤホン付きアンテナ。
【請求項７】
アンテナ線を含む複数の信号伝達路を備えるケーブルと、
前記ケーブルが備える複数の信号伝達路の各々に対応する端子を有し、当該端子を通じて当該複数の信号伝達路の各々を外部装置に接続させるためのプラグと、
前記ケーブルに前記プラグと離間して設けられた中間部と、
前記中間部に内蔵され、当該中間部のプラグ寄りに位置し、前記ケーブルが備えるアンテナ線を含む複数の信号伝達路に配置された高周波減衰素子と、
を含むイヤホン。
【手続補正２】
【補正対象書類名】明細書
【補正対象項目名】全文
【補正方法】変更
【補正の内容】
【発明の詳細な説明】
【技術分野】
【０００１】
本発明は、電気信号を音に変換する電気−音響変換器としてのイヤホン付きアンテナ等に関するものである。
【背景技術】
【０００２】
携帯型の受信情報機器、例えば携帯電話機は、通話機能のみならず、技術の発達と共にメールやインターネット等の通信機能が付加されている。そして、その便利さや手軽さ等のため、携帯電話機は世界的に急速に普及している。
【０００３】
そのような携帯電話機の普及に伴い、通話機能や通信機能以外の様々な機能を有する携帯電話機が提案されている（例えば、特許文献１参照）。すなわち、特許文献１では、音楽再生機能を有する携帯電話機が開示されている。このため、携帯電話機及び携帯電話機に接続されるイヤホン（ヘッドホン）に対して高音質化という要求があり、各種の技術を用いてその要求に対応している。このように、携帯電話機に音楽再生機能をもたせることにより、専用の音楽再生機を用いて所望の音楽を聴いていた従来のスタイルから、携帯電話機だけを持ち歩いて携帯電話機で音楽再生するというスタイルに変わりつつある。
【０００４】
また、特許文献１では、ラジオやテレビ等の受信機能を有する携帯電話機も開示されている。ここで、携帯電話機に専用のアンテナを内蔵すると携帯電話機の小型化や軽量化の妨げになることから、チューナを携帯電話機に内蔵すると共に、携帯電話機に接続されるヘッドホンのケーブル（コード）にアンテナ機能をもたせた構成が開示されている（例えば、特許文献２参照）。すなわち、特許文献２には、ヘッドホンのケーブルをコネクタを介してチューナに接続し、これにより、ヘッドホンのケーブルを外部アンテナとして用いていると共に、ヘッドホンのコネクタが携帯電話機に接続されると、音声信号の出力先がスピーカからヘッドホンへと切り替わる構成が開示されている。
【０００５】
【特許文献１】特開２００２−１０１１６４号公報
【特許文献２】実開平３−２７０８号公報
【発明の開示】
【発明が解決しようとする課題】
【０００６】
しかしながら、ヘッドホンないしはイヤホンのケーブルを外部アンテナとする場合には、従来の構造では、受信感度の面で問題がある。すなわち、受信感度の向上を効果的に図ることが困難である。当然ながら、ヘッドホン等について種々の改良が行われているものの、性能的に十分ではなかったりコストが多くかかり過ぎてしまったりして、課題の解決には至っていない。また、ヘッドホン等が接続される携帯電話機についても、受信感度を向上させる改良が行われているが、高機能化等に伴い、受信感度を向上させる手段を携帯電話機側に内蔵するのは困難になりつつある。
【０００７】
ここで、携帯電話機のインターフェイスコネクタに接続され、そのインターフェイスコネクタのアンテナ端子に電気的に接続されるアンテナ接続端子を有するコネクタ部とアンテナ接続端子に電気的に接続されるアンテナエレメントを有する外部アンテナ部とを備えた携帯電話機用アンテナについての提案もある。この提案によると、アンテナエレメントが、導波素子、放射素子及び反射素子を有することにより、携帯電話機の送受信可能な距離を長くすることができる。ところが、このような構成をヘッドホンに適用するのは困難である。
【０００８】
本発明は、以上のような技術的課題を解決するためになされたものであり、その目的とするところは、ケーブルをアンテナとして利用するイヤホンの受信感度を向上させることにある。
【課題を解決するための手段】
【０００９】
かかる目的のもと、本発明が適用されるイヤホン付きアンテナは、ケーブルと、ケーブルに内設されたアンテナ線と、アンテナ線と共にケーブルに内設された信号線と、ケーブルに設けられ、アンテナ線及び信号線を電気的に外部装置に接続させるためのプラグと、ケーブルにプラグと離間して設けられたリモコンと、リモコンに内蔵され、信号線に配設されている第１の高周波減衰素子と、リモコンに内蔵され、第１の高周波減衰素子に隣接してアンテナ線に配設されている第２の高周波減衰素子と、を含み、第１の高周波減衰素子及び第２の高周波減衰素子は、リモコンのプラグ寄りに位置することを特徴とするものである。
【００１０】
ケーブルは、接続部品を備える複数のケーブル部分から構成され、リモコンは、ケーブル部分のうちプラグが設けられたケーブル部分に配設されていることを特徴とすることができる。リモコンに挿入されるジャックを更に含むことを特徴とすることができる。
第１の高周波減衰素子及び第２の高周波減衰素子は、チップビーズであることを特徴とすることができる。第１の高周波減衰素子及び第２の高周波減衰素子は、インダクタであることを特徴とすることができる。
第２の高周波減衰素子は、アンテナ線のアンテナ長を規定することを特徴とすることができる。
【００１１】
他の観点から捉えると、本発明が適用されるイヤホンは、アンテナ線を含む複数の信号伝達路を備えるケーブルと、ケーブルが備える複数の信号伝達路の各々に対応する端子を有し、端子を通じて複数の信号伝達路の各々を外部装置に接続させるためのプラグと、ケーブルにプラグと離間して設けられた中間部と、中間部に内蔵され、中間部のプラグ寄りに位置し、ケーブルが備えるアンテナ線を含む複数の信号伝達路に配置された高周波減衰素子と、を含むものである。
【発明の効果】
【００１２】
本発明によれば、ケーブルをアンテナとして利用するイヤホンの受信感度を向上させることが可能になる。
【発明を実施するための最良の形態】
【００１３】
以下、添付図面を参照して、本発明の実施の形態について詳細に説明する。
図１は、本実施の形態に係るイヤホン２と当該イヤホン２が用いられる携帯電話機１とを示す概略構成図である。
図１に示す携帯電話機（受信機、外部装置、携帯型電子機器）１は、イヤホン（ヘッドホン）２が接続されるジャック１１を有する。また、携帯電話機１は、ＦＭラジオ放送、ＶＨＦテレビ放送及びＵＨＦテレビ放送等を受信する受信機能としてのチューナ１２（図２参照）を有する。そして、ユーザが所望の放送を受信するときには、アンテナとして機能するイヤホン２を携帯電話機１のジャック１１に接続する。
【００１４】
イヤホン２がジャック１１に接続されると、イヤホン２は携帯電話機１の放送受信用外部アンテナとして機能する。また、イヤホン２がジャック１１に接続されると、携帯電話機１の図示しない内蔵スピーカからの音出力が遮断され、ユーザは、イヤホン２を通じて放送の内容を聴くことができる。
なお、本実施の形態では、受信した放送は、音声出力のみとしているが、音声出力のみならず映像出力も可能に構成されている携帯電話にも同様に適用することができる。また、ＦＭラジオ放送のみならず、ＡＭラジオ放送も受信可能に携帯電話機１を構成することも可能である。
【００１５】
また、携帯電話機１は、図示しない内部メモリ又は外部メモリに、例えばＭＰ３形式の所定のデータ形式で予め記録された音楽を再生する音楽再生機能を有する。なお、ここにいう外部メモリとは、携帯電話機１に脱着可能に装着できる記憶媒体をいい、例えばＳＤメモリカード等をいう。
【００１６】
イヤホン２は、携帯電話機１に接続される操作部３と、操作部３に接続される音出力部４と、を備える。操作部３は、携帯電話機１に対するユーザからの指示内容を電気信号で携帯電話機１に出力する。また、音出力部４は、操作部３を介して携帯電話機１からの電気信号に対応する音を出力する。
【００１７】
なお、本実施の形態では、イヤホン２として、操作部３と音出力部４とがコネクタ類によって分離可能に構成されているものを用いているが、そのような分離不可能に構成されているものを用いることもできる。また、ここにいうイヤホン２は、操作部３と音出力部４とを含んで構成されているが、例えば操作部３のみをイヤホン２と考えることもできる。また、携帯電話機１に接続される操作部３をラジオ放送やテレビ放送を受信するためのアンテナと考えることもできる。
【００１８】
操作部３は、複数の信号線（芯線）を内蔵するケーブル（ケーブル部分）３１と、ケーブル３１の一端に設けられ、携帯電話機１のジャック１１に接続されるプラグ３２と、ケーブル３１の他端に設けられ、ユーザが携帯電話機１に対して指示を行う際に操作するリモコン（中間部）３３と、を有する。ケーブル３１に内蔵されている複数の信号線は、電気信号を伝達するためのものであるが、光信号等の他の信号を伝達するように構成している場合にも本実施の形態を適用することができる。
【００１９】
ここで、リモコン３３は、ユーザの声が入力されるマイクロホン（音入力部）３３１と、音量の調整や受信周波数の調整を行ったり、音楽再生の際にユーザが操作したりするための各種のボタン３３２と、が配設されている。また、リモコン３３には、音出力部４を接続するための出力端子３３３がケーブル３１とは逆側に設けられている。なお、リモコン３３における出力端子３３３の位置は、本実施の形態の場合に限られず、ケーブル３１とは逆側以外であってもよい。
【００２０】
音出力部４は、複数の信号線を内蔵し、一端から他端に向かう途中で二股に分かれるケーブル４１と、ケーブル４１の一端に設けられ、操作部３の出力端子３３３に挿入されるプラグ（接続部品）４２と、ケーブル４１の他端に設けられ、ユーザの片耳ずつにセットされる右スピーカ４３ａ及び左スピーカ４３ｂと、を有する。右スピーカ４３ａ及び左スピーカ４３ｂは、プラグ４２及びケーブル４１を介して送られてきた電気信号を音に変換して出力する。
【００２１】
なお、本実施の形態では、携帯電話機１にイヤホン２を接続する場合を説明したが、イヤホン２の代わりに、図示しない電源コードを接続する場合にも同様に適用することができる。この電源コードは、電気配線されているコンセントから携帯電話機１に電気を供給するためのものであり、そのために、電力線、電源線、導線等の電気供給路を内蔵している。
また、携帯電話機１のほかに、図示しない携帯用ラジオ受信機にイヤホン２や図示しない電源コードを接続する場合にも適用することができる。
【００２２】
図２は、本実施の形態に係るイヤホン２１の操作部３が携帯電話機１に接続されている状態を説明するための概略構成図である。
図２に示すように、操作部３のケーブル３１は、アンテナとして機能する信号線（アンテナ線）ＡＮＴと、音出力部４（図１参照）の右スピーカ４３ａに信号を伝えるための信号線Ｒと、音出力部４の右スピーカ４３ａに信号を伝えるための信号線Ｌと、を備えている。その他に、操作部３のリモコン３３に配設されたマイクロホン３３１のための信号線及びリモコン３３に配設されたボタン３３２のための信号線もケーブル３１は備えている。なお、本実施の形態では、ケーブル３１が５本の信号線（信号伝達路、導通路、電気供給路）を備えているが、更に他の信号線を備えるように構成することも可能である。例えば、グランドのための信号線等である。
【００２３】
操作部３のプラグ３２が携帯電話機１のジャック１１に挿入されると、操作部３と携帯電話機１とが電気的に接続され、これにより、信号線ＡＮＴは、携帯電話機１に内蔵されているチューナ１２に接続される。他の信号線は、携帯電話機１内の図示しない回路に接続される。
【００２４】
〔第１の実施の形態〕
図３は、第１の実施の形態に係るイヤホン２２が携帯電話機１に接続されている状態を説明するための概略構成図である。
図３に示すイヤホン２２では、操作部３のリモコン３３にチップビーズ（第２の高周波減衰素子）５Ｂ及びチップビーズ（第１の高周波減衰素子）５Ｃが内蔵されている。すなわち、リモコン３３において、信号線ＡＮＴにチップビーズ５Ｂが配設されている。また、リモコン３３において、信号線Ｒ，Ｌ、マイクロホン３３１のための信号線及びボタン３３２のための信号線にチップビーズ５Ｃが配設されている。
【００２５】
ここで、チップビーズ５Ｂ，５Ｃは、必要な信号を通過させる一方で、それ以上の所望する高周波数帯域にある不必要な信号（ノイズ）を全て通過させないように作用する電子部品である。そして、チップビーズ５Ｂ，５Ｃは、広い周波数帯域にわたって信号の吸収特性を有するものである。チップビーズ５Ｂ，５Ｃは、高周波を減衰させるための素子であり、高周波減衰素子や高周波吸収素子と呼ばれる。また、高周波減衰素子としては、インダクタないしはチョークコイルがあり、これらを代用することも可能である。なお、チップビーズ５Ｂ，５Ｃとしては、使用される条件に応じて決定された所定のインピーダンスを有するものが用いられる。
このように、リモコン３３において、チップビーズ５Ｂ，５Ｃによって、信号線ＡＮＴを含めた信号線のすべてについて高周波が減衰するように構成されている。
【００２６】
更に説明すると、信号線ＡＮＴは、リモコン３３に内蔵されたチップビーズ５Ｂにより、チップビーズ５Ｂと携帯電話機１のチューナ１２との間の距離がアンテナ長となる。すなわち、信号線ＡＮＴのアンテナ長に相当する部分で、放送電波を受信する。このように、リモコン３３から延びるケーブル４１（図１参照）をアンテナとして用いていない。したがって、所定の放送電波を受信するのに最適なアンテナ長となるようにチップビーズ５Ｂを配置することで、最適なアンテナ効果を得ることができる。
【００２７】
また、信号線ＡＮＴと共にケーブル３１に内設されている信号線Ｒ，Ｌ等の他の信号線は、リモコン３３のチップビーズ５Ｃが配設されている。このため、信号線ＡＮＴ以外の他の信号線は、リモコン３３の側の端で高周波の減衰が行われる。そして、リモコン３３において、チップビーズ５Ｂとチップビーズ５Ｃは隣接して配設されている。したがって、信号線ＡＮＴのアンテナ長に相当する部分へ高周波が入力されることを回避でき、設計どおりの受信感度とすることが可能になる。
【００２８】
ここで、アンテナ長の設定について説明する。アンテナ長は、波長をλとすると、基本的にはλ／４にする。そして、扱う周波数が多数の場合には、各帯域のセンタがｎλ／４（ｎは奇数）になるようにアンテナ長を設定する。ただし、すべての帯域を満足しないときには、感度の低い帯域を感度の高い帯域よりも優先する必要がある。
【００２９】
本実施の形態では、周波数が７６〜９０ＭＨｚのＦＭ放送と、９０〜１０８ＭＨｚ（１ＣＨ〜３ＣＨ）及び１７０〜２２２ＭＨｚ（４ＣＨ〜１２ＣＨ）のＶＨＦのテレビ放送と、４７０〜７７０ＭＨｚ（１３ＣＨ〜６２ＣＨ）のＵＨＦのテレビ放送と、が受信帯域としている。ＦＭ放送の場合には、λ＝３．９５〜３．３３ｍであり、ＶＨＦの場合には、λ＝３．３３〜２．７８ｍ及び、λ＝１．７６〜１．３５ｍである。ＵＨＦの場合には、λ＝６４〜３９ｃｍである。
【００３０】
そして、各帯域のセンタが約ｎλ／４となるようなアンテナ長を設定する。その設定されたアンテナ長で受信状態を測定する実験を行い、各帯域の周波数の受信レベルを得る。その感度の程度を調べてアンテナ長を合わせ込んでいく。
【００３１】
〔第２の実施の形態〕
図４は、第２の実施の形態に係るイヤホン２３が携帯電話機１に接続されている状態を説明するための概略構成図である。なお、第２の実施の形態に係るイヤホン２３は、第１の実施の形態に係るイヤホン２２と同一の構成についてはその説明を省略する。
図４に示すイヤホン２３では、図３に示すイヤホン２２とは異なり、音出力部４のプラグ４２にチップビーズ５Ｂ，５Ｃが内蔵されている。すなわち、プラグ４２において、信号線ＡＮＴにチップビーズ５Ｂが配設され、また、信号線Ｒ，Ｌにチップビーズ５Ｃが配設されている。
【００３２】
更に説明すると、プラグ４２からケーブル４１（図１参照）へと延びる信号線は、５本の信号線のうち信号線ＡＮＴ，Ｒ，Ｌのみである。このため、操作部３のリモコン３３にチップビーズ５Ｃを内蔵する場合よりも、音出力部４のプラグ４２にチップビーズ５Ｃを内蔵する場合の方がチップビーズ５Ｃの数を減らすことができる。したがって、イヤホン２３の製造コストを低減することができる。
【００３３】
なお、本実施の形態では、音出力部４のプラグ４２にチップビーズ５Ｂ，５Ｃを内蔵しているが、イヤホン２３のリモコン３３における出力端子３３３の近傍に設けることも考えられる。すなわち、出力端子３３３の近傍であれば、信号線ＡＮＴ，Ｒ，Ｌは、マイクロホン３３１のための信号線及びボタン３３２のための信号線からの影響を受け難い。このため、出力端子３３３の近傍にチップビーズ５Ｂ，５Ｃを設けることができる。
【００３４】
以上、説明したように、本実施の形態によれば、携帯電話機１のチューナ１２に受信電波が入力される際の損失を抑制することができ、これにより、受信感度を向上させることができる。また、予め定められたアンテナ長で受信することができ、受信感度が変化することを回避することができる。
【図面の簡単な説明】
【００３５】
【図１】本実施の形態に係るイヤホンと当該イヤホンが用いられる携帯電話機とを示す概略構成図である。
【図２】本実施の形態に係るイヤホンの操作部が携帯電話機に接続されている状態を説明するための概略構成図である。
【図３】第１の実施の形態に係るイヤホンが携帯電話機に接続されている状態を説明するための概略構成図である。
【図４】第２の実施の形態に係るイヤホンが携帯電話機に接続されている状態を説明するための概略構成図である。
【符号の説明】
【００３６】
１…携帯電話機、１１…ジャック、１２…チューナ、２，２１，２２，２３…イヤホン、３…操作部、３１，４１…ケーブル、３２，４２…プラグ、３３…リモコン、３３１…マイクロホン、３３２…ボタン、３３３…出力端子、４…音出力部、４３ａ…右スピーカ、４３ｂ…左スピーカ、５Ｂ，５Ｃ…チップビーズ
【手続補正３】
【補正対象書類名】図面
【補正対象項目名】図２
【補正方法】変更
【補正の内容】
【図２】
2007173980.tif 000013
【手続補正４】
【補正対象書類名】図面
【補正対象項目名】図３
【補正方法】変更
【補正の内容】
【図３】
2007173980.tif 000014
【手続補正５】
【補正対象書類名】図面
【補正対象項目名】図４
【補正方法】変更
【補正の内容】
【図４】
2007173980.tif 000015
【手続補正６】
【補正対象書類名】図面
【補正対象項目名】図５
【補正方法】削除
【補正の内容】
【手続補正７】
【補正対象書類名】図面
【補正対象項目名】図６
【補正方法】削除
【補正の内容】
【手続補正８】
【補正対象書類名】図面
【補正対象項目名】図７
【補正方法】削除
【補正の内容】
【手続補正９】
【補正対象書類名】図面
【補正対象項目名】図８
【補正方法】削除
【補正の内容】
【手続補正１０】
【補正対象書類名】図面
【補正対象項目名】図９
【補正方法】削除
【補正の内容】
【手続補正１１】
【補正対象書類名】図面
【補正対象項目名】図１０
【補正方法】削除
【補正の内容】
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
ケーブルと、
前記ケーブルに内設されたアンテナ線と、
前記アンテナ線と共に前記ケーブルに内設された信号線と、
前記ケーブルに設けられ、前記アンテナ線及び前記信号線を電気的に外部装置に接続させるためのプラグと、
前記ケーブルに前記プラグと離間して設けられたリモコンと、
前記リモコンに内蔵され、前記信号線に配設されている第１の高周波減衰素子と、
前記リモコンに内蔵され、前記第１の高周波減衰素子に隣接して前記アンテナ線に配設されている第２の高周波減衰素子と、
を含み、
前記第１の高周波減衰素子及び前記第２の高周波減衰素子は、前記リモコンの前記プラグ寄りに位置することを特徴とするイヤホン付きアンテナ。
【請求項２】
前記ケーブルは、接続部品を備える複数のケーブル部分から構成され、
前記リモコンは、前記ケーブル部分のうち前記プラグが設けられたケーブル部分に配設されていることを特徴とする請求項１に記載のイヤホン付きアンテナ。
【請求項３】
前記リモコンに挿入されるジャックを更に含むことを特徴とする請求項１に記載のイヤホン付きアンテナ。
【請求項４】
前記第１の高周波減衰素子及び前記第２の高周波減衰素子は、チップビーズであることを特徴とする請求項１に記載のイヤホン付きアンテナ。
【請求項５】
前記第１の高周波減衰素子及び前記第２の高周波減衰素子は、インダクタであることを特徴とする請求項１に記載のイヤホン付きアンテナ。
【請求項６】
前記第２の高周波減衰素子は、前記アンテナ線のアンテナ長を規定することを特徴とする請求項１に記載のイヤホン付きアンテナ。
【請求項７】
アンテナ線を含む複数の信号伝達路を備えるケーブルと、
前記ケーブルが備える複数の信号伝達路の各々に対応する端子を有し、当該端子を通じて当該複数の信号伝達路の各々を外部装置に接続させるためのプラグと、
前記ケーブルに前記プラグと離間して設けられたリモコンと、
前記リモコンに内蔵され、当該リモコンのプラグ寄りに位置し、前記ケーブルが備えるアンテナ線を含む複数の信号伝達路に配置された高周波減衰素子と、
を含むイヤホン。
【手続補正２】
【補正対象書類名】明細書
【補正対象項目名】００１１
【補正方法】変更
【補正の内容】
【００１１】
他の観点から捉えると、本発明が適用されるイヤホンは、アンテナ線を含む複数の信号伝達路を備えるケーブルと、ケーブルが備える複数の信号伝達路の各々に対応する端子を有し、端子を通じて複数の信号伝達路の各々を外部装置に接続させるためのプラグと、ケーブルにプラグと離間して設けられたリモコンと、リモコンに内蔵され、リモコンのプラグ寄りに位置し、ケーブルが備えるアンテナ線を含む複数の信号伝達路に配置された高周波減衰素子と、を含むものである。